【手続補正書】
【提出日】平成17年10月19日(2005.10.19)
【手続補正１】
【補正対象書類名】明細書
【補正対象項目名】全文
【補正方法】変更
【補正の内容】
【書類名】          明細書
【発明の名称】      髪処理装置
【特許請求の範囲】
【請求項１】  髪を挟持する加熱ブロック５・６が設けられる第１・第２の挟み腕１・２と、イオンを発生させるイオン発生装置１０と、発生したイオンが放出されるイオン吹出口１７とを備えた髪処理装置であって、
第１・第２の挟み腕１・２は、揺動軸３を介して揺動開閉可能に連結されており、
第１の挟み腕１には、発生したイオンを送給するためのファンユニット９が収容されており、
第１の挟み腕１の先端側に加熱ブロック５を配置するとともに加熱ブロック５に対応した第２の挟み腕２に加熱ブロック６を配置しており、
第１の挟み腕１における第２の挟み腕２との対向面に、張出部２２が第２の挟み腕２に向かって膨出形成されており、
ファンユニット９は、軸流式の送風ファン３７と、送風ファン３７を回転するモーター３８とを含み、
ファンユニット９が、揺動軸３側の加熱ブロック５に隣接する部分であり、且つ、送風ファン３７の回転領域の一部が張出部２２で囲まれる空間内に位置する状態で、第１の挟み腕１内に収容されている髪処理装置。
【請求項２】  張出部２２は、第２挟み腕２側の加熱ブロック６の周囲壁より下方に膨出しており、
第２挟み腕２における張出部２２との対向面に、張出部２２を受け入れる凹部３０が凹み形成されている請求項１記載の髪処理装置。
【請求項３】  張出部２２が、部分円弧面からなる主壁２３と、主壁２３とケース８の下面壁とを滑らかにつなぐ傾斜端壁２４とで構成されており、
ケース８の下面壁と傾斜端壁２４との境界線が、加熱ブロック５側へ向かって突弧状に形成されている請求項１または２記載の髪処理装置。
【請求項４】  加熱ブロック５の左右外側方に、ファンユニット９で送給されたイオンが吹き出るイオン吹出口１７が開口しており、
各イオン吹出口１７に臨むよう放電体４８が配置されている請求項１、２または３記載の髪処理装置。
【請求項５】  髪を挟持する加熱ブロック５・６が設けられる第１・第２の挟み腕１・２と、イオンを発生させるイオン発生装置１０と、発生したイオンが放出されるイオン吹出口１７とを備えた髪処理装置であって、
第１・第２の挟み腕１・２は、揺動軸３を介して揺動開閉可能に連結されており、
第１挟み腕１は、ファンユニット９と、イオン発生装置１０と、髪を加熱する平板状の加熱ブロック５と、これらを収容するケース８とを含み、
加熱ブロック５とイオン発生装置１０とは、ケース８内の揺動先端側に配置されて、加熱ブロック５が第２挟み腕２と対向する状態で上下に隣接しており、
ファンユニット９が、イオン発生装置１０および加熱ブロック５の揺動軸側の端部に隣接して配置されていることを特徴とする髪処理装置。
【請求項６】  イオン発生装置１０を構成する回路基板４６、トランス４７、複数個の放電体４８が、電装ホルダー４５に組み付けられてユニット部品化されており、
加熱ブロック５と電装ホルダー４５とが、隙間を介して上下に隣接して配置されており、
ファンユニット９で送給される加圧空気の一部が、加熱ブロック５と電装ホルダー４５との隙間を介してイオン吹出口１７からケース外に排出される請求項５記載の髪処理装置。
【発明の詳細な説明】
【０００１】
【発明の属する技術分野】
本発明は、くせのある毛髪を真直ぐに伸ばし、あるいは直毛を縮れ変形させる際等に使用する、一対の挟み腕を備えた髪処理装置に関する。
【０００２】
【従来の技術】
一対の挟み腕を備えた髪処理装置において、片方の挟み腕の内部に送風ファンと熱源を収容して、一対の挟み腕間で挟んだ毛髪に加熱空気を供給することは公知である（特許文献１）。ケース内部に蒸気発生機構と放電体が配置されているヘアーセッターもある（特許文献２）。
【０００３】
【特許文献１】
実開平３−２７４０１号公報（１頁、第１図）
【特許文献２】
特開平８−８０２１５号公報（段落番号００２０、図６）
【０００４】
【発明が解決しようとする課題】
特許文献１に係る髪処理装置は、グリップ側のケース内部に送風ファンや熱源ブロックを収容しているので、装置全体が扁平に仕上がる。しかし、グリップ基端に送風ファンを収容するので送風経路が長くなり、その分だけ通風抵抗が大きくなるのを避けられない。ブラシ部分側に送風ファンを配置すると、通風抵抗を小さくできるが、片方の挟み腕のブラシ部分におけるケース厚みが大きくなってしまう。本発明の髪処理装置のように、イオン発生装置を付加する場合には、その配置スペースをブラシ部分に求めるしかないので、ブラシ部分全体を分厚く形成せざるを得ない。
【０００５】
特許文献２の髪処理装置においても状況は変らず、ブラシ部分のケース内部に蒸気発生機構と放電体を配置してあるので、ブラシ部分がグリップ側より分厚い。ブラシ部分に蒸気発生機構、放電体、および水タンクを配置するので、髪処理装置の使用時に持ち重りがする不利もある。
【０００６】
本発明の目的は、挟み腕のブラシ部側に送風ファンおよびその駆動用モーターと、イオン発生装置を収容してあるにもかかわらず、全体厚みを小さくでき、しかも使用時に持ち重りがしない髪処理装置を提供することにある。
【０００７】
本発明の目的は、従来装置に比べて薄型の髪処理装置でありながら、より大形の送風ファンを収容でき、従って大量の空気でマイナスイオンを髪に満遍なく作用させて、髪のくせ伸ばしや、直毛の縮れ処理などの髪処理が効果的に行え、乾燥した髪であっても手軽に、しかも的確に髪処理できるようにすることにある。
【０００８】
本発明の目的は、大形の送風ファンで空気を送給することにより、より低速で送風ファンを回転駆動して所定量の空気を送給でき、従って使用時の運転騒音を低減化できる静粛な髪処理装置を提供することにある。
【０００９】
【課題を解決するための手段】
本発明の髪処理装置は、髪を挟持する加熱ブロック５・６が設けられる第１・第２の挟み腕１・２と、イオンを発生させるイオン発生装置１０と、発生したイオンが放出されるイオン吹出口１７とを備えた髪処理装置であって、第１・第２の挟み腕１・２は、揺動軸３を介して揺動開閉可能に連結されており、第１の挟み腕１には、発生したイオンを送給するためのファンユニット９が収容されている。第１の挟み腕１の先端側に加熱ブロック５を配置するとともに加熱ブロック５に対応した第２の挟み腕２に加熱ブロック６を配置している。
【００１０】
第１の挟み腕１における第２の挟み腕２との対向面に、張出部２２が第２の挟み腕２に向かって膨出形成されている。
【００１１】
ファンユニット９は、軸流式の送風ファン３７と、送風ファン３７を回転するモーター３８とを含み、ファンユニット９が、揺動軸３側の加熱ブロック５に隣接する部分であり、且つ、送風ファン３７の回転領域の一部が張出部２２で囲まれる空間内に位置する状態で、第１の挟み腕１内に収容されている。
【００１２】
張出部２２は、部分円弧面からなる主壁２３と、主壁２３とケース８の下面壁とを滑らかにつなぐ傾斜端壁２４とで構成されている。ケース８の下面壁と傾斜端壁２４との境界線が、加熱ブロック５側へ向かって突弧状に形成されている。
【００１３】
加熱ブロック５の左右外側方には、ファンユニット９で送給されたイオンが吹き出るイオン吹出口１７が開口しており、各イオン吹出口１７に臨むよう放電体４８が配置されている。
【００１４】
本発明の髪処理装置は、図１に示すごとく揺動軸４を介して揺動開閉可能に連結されている第１・第２の挟み腕１・２を備えている。第１挟み腕１は、ファンユニット９と、イオン発生装置１０と、髪を加熱する平板状の加熱ブロック５と、これらを収容するケース８とを含む。加熱ブロック５とイオン発生装置１０とは、ケース８内の揺動先端側に配置されて、加熱ブロック５が第２挟み腕２と対向する状態で上下に隣接している。ファンユニット９は、イオン発生装置１０および加熱ブロック５の揺動軸側の端部に隣接して配置されている。
【００１５】
イオン発生装置１０を構成する回路基板４６、トランス４７、複数個の放電体４８は、電装ホルダー４５に組み付けてユニット部品化する。そして、加熱ブロック５と電装ホルダー４５とは隙間を介して上下に隣接して配置されており、ファンユニット９で送給される加圧空気の一部が、加熱ブロック５と電装ホルダー４５との隙間を介してイオン吹出口１７からケース外に排出されるようにしてある。
【００１６】
【発明の作用効果】
本発明では、第１挟み腕１における第２挟み腕２との対向面に張出部２２を膨出形成し、この張出部２２の内部にファンユニット９を配置してあると、第１の挟み腕１の処理部側全体の厚み寸法が分厚くなるのを避けながら、より大形の送風ファン３７を第１の挟み腕１内に収容できるので、従来装置に比べて薄型の髪処理装置でありながら、より大量の加圧空気をマイナスイオン化された水分とともに髪に送給できる。空気供給量を一定とする場合には、送風ファン３７をより低速で駆動すればよいので、その分だけファン騒音が減少して髪処理装置を静粛化できる。
【００１７】
とくに、軸流式の送風ファン３７とモーター３８とでファンユニット９を構成し、送風ファン３７の回転領域の一部が張出部２２で囲まれる空間内に位置するようにした髪処理装置によれば、送風ファン３７で生起した加圧空気の全量を、加熱ブロック５とイオン発生装置１０へ向かって無駄なく送給できるので、例えば遠心式の送風ファンを使用して加圧空気を生起する場合に比べて、イオン搬送用の空気を効率よく供給でき、ケース８内における気流どうしの干渉もない。さらに、送風ファン３７から送給される風の一部で、加熱ブロック５に隣接する張出部２２を強制的に冷却できるので、張出部２２と第２挟み腕２との間に挟まれた髪が、張出部２２によってくせ付けされるのを確実に防止できる。
【００１８】
髪処理時には、大量の空気とともにマイナスイオンを髪に作用させて、プラスに帯電した髪を中和して髪のぱさつきを防止し、しかもマイナスイオン化された水分を髪に浸透させて髪をしなやかにできるので、髪のくせ伸ばしや、直毛の縮れ処理などの髪処理を効果的に行え、乾燥した髪であっても手軽にしかも的確に処理できる。張出部２２を第２挟み腕２との接合面側に設けるので、ファン収容部がケース８の上面側に膨出することもなく、従ってケース８の上面を平坦化し、髪処理装置の外観上の印象をすっきりしたものになる（請求項１）。
【００１９】
張出部２２が、第２挟み腕２側の加熱ブロック６の周囲壁より下方に膨出形成されていると、張出部２２の内部空間の上下寸法をさらに稼ぐことができるので、より大きな送風ファン３７をケース８内に収容して、送風ファン３７による送給風量をさらに増加できる。第２挟み腕２側に、張出部２２を受け入れる凹部３０が凹み形成されていると、第１挟み腕１と第２挟み腕２との対向隙間を、凹部３０に嵌り込んだ張出部２２で加熱ブロック５・６側とグリップ側とに区分して、加熱ブロック５・６に挟まれた髪が、不必要に広がるのを解消し、髪処理を効果的に行える（請求項２）。
【００２０】
部分円弧面からなる主壁２３と、主壁２３とケース８の下面壁とを滑らかにつなぐ傾斜端壁２４とで張出部２２を形成し、ケース８の下面壁と傾斜端壁２４との境界線を加熱ブロック５側へ向かって突弧状に形成してあると、主壁２３とケース８の下面壁とがなだらかに連続するので、加熱ブロック５・６からはみ出た髪が、張出部２２でくせ付けされるのを極力避けることができる（請求項３）。
【００２１】
加熱ブロック５の左右外側方に、ファンユニット９で送給されたイオンが吹き出るイオン吹出口１７を開口し、各イオン吹出口１７からマイナスイオンを吹き出すようにした髪処理装置によれば、両加熱ブロック５・６で挟んだ髪より上方および下方の髪部分にマイナスイオンを同時に作用させることができるので、これから処理しようとする髪にマイナスイオンを作用させながら、両挟み腕１・２によってくせ伸ばしや、くせ付け等の髪処理を効果的に行える。髪処理装置を右手で持って使用する場合と、左手で持って使用する場合のいずれでも、髪に対して同等にマイナスイオンを作用させることができるので、髪処理装置を使用する方向に制約がない利点もある（請求項４）。
【００２２】
本発明では、一対の挟み腕１・２を有する髪処理装置において、第１挟み腕１のケース８の内部に、加熱ブロック５とイオン発生装置１０とを、両者５・１０が上下に隣接する状態で配置し、これらの揺動軸側の端部に隣接してファンユニット９を配置することにより、ケース８の上下厚み寸法が大きくなるのを避けている。
【００２３】
つまり、加熱ブロック５とファンユニット９とイオン発生装置１０との三者が上下に重なるのを避けて、これらの機器を収容するケース８の処理部側の上下厚み寸法が小さくなるようにしたので、従来例に比べて髪処理装置の全体厚みが小さくなり、コンパクト化できる。また、加熱ブロック５とイオン発生装置１０の揺動軸側の端部に隣接させて、重量が嵩むファンユニット９を配置して、装置全体の重心位置をグリップ側に近づけるので、髪処理装置の使用時の慣性モーメントをより小さくでき、持ち重りのない使いやすい髪処理装置が得られる（請求項５）。
【００２４】
それぞれユニット部品化された加熱ブロック５とイオン発生装置１０とが、隙間を介して上下に隣接して配置され、ファンユニット９で送給される加圧空気の一部が、加熱ブロック５と電装ホルダー４５との隙間を介してイオン吹出口１７からケース外に排出される髪処理装置によれば、加熱ブロック５から放出される熱が隙間に滞留するのを解消できるうえ、回路基板４６を強制的に冷却して、回路基板４６に実装された電子部品が過熱するのを確実に防止できる（請求項６）。
【００２５】
【実施例】
図１ないし図７は、本発明をストレータ（髪処理装置）に適用した実施例を示す。ストレータは、縮れた毛髪やくせのある毛髪を真直ぐに伸ばすために使用する。
【００２６】
図１および図２においてストレータは、上下に対向配置した第１・第２の挟み腕１・２の基端どうしを揺動軸３で連結して構成してある。両挟み腕１・２は揺動軸３まわりに揺動開閉でき、両腕１・２の基端間に設けた圧縮コイル形のばね４で開き勝手に揺動付勢することにより、自由状態においては図１の実線で示す開放姿勢に位置保持されている。開放姿勢にある両挟み腕１・２のグリップ部を片方の手で握り込むことによって、両挟み腕１・２の対向面のそれぞれに設けた上下の加熱ブロック５・６で髪を挟むことができる。
【００２７】
図３において第１挟み腕１は、羽子板状のケース８と、ケース８の内部に配置したファンユニット９、イオン発生装置１０、および先の加熱ブロック５などで構成する。第１挟み腕１のグリップ部の中央一側には、左右方向へスライドして電源スイッチをオンオフいずれかに切り換えるスイッチノブ１１と、表示灯１２とが配置してある（図１参照）。スイッチノブ１１をオン操作すると、ファンユニット９、後述する発熱体３４、およびイオン発生装置１０が同時に駆動され、これらの電気機器が駆動状態にあることを表示灯１２で点灯表示できる。
【００２８】
ケース８は、上下に２分割された上ケース８ａと下ケース８ｂとを蓋合わせ状に結合して、中空ケース状に構成してある。上ケース８ａは下面側が開口する舟形容器状のプラスチック成形品からなり、図２に示すようにそのグリップ側が細く形成してあるのに対し、加熱ブロック５、ファンユニット９、およびイオン発生装置１０を収容する処理部側は幅広に形成してある。
【００２９】
下ケース８ｂは上ケース８ａと同じ外郭線形状の浅い皿状のプラスチック成形品からなり、側面から見て、処理部側がグリップ側より下方に位置するように、両者間が斜め下向きに傾斜しており、その分だけケース８の処理部側の上下寸法が、グリップ側の上下寸法より僅かに大きい。
【００３０】
図２に示すように下ケース８ｂのグリップ側の底壁の揺動軸４寄りにはファンユニット９の送風効率を上げるための吸風口１５が開口しており、処理部側の底壁に加熱ブロック５をケース外へ露出させるための開口を有する。上記のように第２挟み腕２と対向する下ケース８ｂの下面に吸風口１５が開口していると、グリップ部を手で握り締めた状態において、吸風口１５の外面が使用者の手で塞がれるのを確実に防止できる。
【００３１】
図２において加熱ブロック５用の開口の左右両側には、ファンユニット９で送給される加圧空気の吹出口１６の一群と、イオン吹出口１７とがそれぞれ開口している。加圧空気の吹出口１６は、加熱ブロック５の長辺部に沿って断続的に開口しており、イオン吹出口１７は吹出口１６の前後中央に形成されている。
【００３２】
加熱ブロック５に臨む下ケース８ｂの左右両側には、一群の整髪用の櫛歯１８と整髪リブ１９とが、互いの隙間に臨む状態で直線列状に突設されている。櫛歯１８および整髪リブ１９は、両加熱ブロック５・６を通過する前、および通過した後の髪を梳いて、絡んだ髪を整然と梳き通すために設けてある。櫛歯１８と整髪リブ１９とを千鳥状態で直線列状に突設すると、髪に過度のテンションがかかる傾向があるが、図６に示すように、整髪リブ１９の全て（あるいは１つおきの整髪リブ１９でもよい）を櫛歯１８よりも短く突設すると、髪に過度のテンションがかかるのを防止できる。
【００３３】
ケース８の処理部側の全体厚み寸法が大きくなるのを避けながら、より大形で大容量の送風ファン３７を使用できるようにするために、図１および図４に示すように、ケース８の第２挟み腕２との対向面で、加熱ブロック５に隣接する個所には、瘤状の張出部２２が第２挟み腕２に向かって膨出形成されている。
【００３４】
この張出部２２は、部分円弧面からなる主壁２３と、主壁２３の前後端と下ケース８ｂの下面壁とが滑らかに連続するようつなぐ３次元平面からなる傾斜端壁２４とで構成する。図４に示すように主壁２３は、第２挟み腕２側の加熱ブロック６の周囲壁より下方へ突出する状態で膨出形成されている。下ケース８ｂの下面壁と傾斜端壁２４との境界縁は、図３に示すように加熱ブロック５側へ向かって突弧状に形成されている。
【００３５】
上記のようにケース８の下面側に張出部２２が設けられていると、張出部２２におけるケース８内の上下間隔を大きくできるので、その内部に収容される送風ファン３７のファン直径を大きくできる。このことは、送風ファン３７の駆動回転数を大きくするまでもなく、より大量の加圧空気を送給できることを意味する。さらに、駆動回転数が低い分だけファン騒音を低減できることにもなる。
【００３６】
ケース構造の観点からは、ファンユニット９の収容部が上ケース８ａの上面側に突出するのを避けることができるので、第１挟み腕１の上面壁を平坦化して、ストレータの外観上の印象をすっきりしたものとすることができる。張出部２２は、両挟持腕１・２の間に挟んだ髪が吸風口１５の側へずれ動こうとするのを受け止めて、髪が吸風口１５から吸込まれるのを防ぐことと、髪を挟んだ状態において、第１・第２の両挟み腕１・２が左右方向へずれ動くのを規制することにも役立っている。因みに、吸風口１５が上ケース８ａ側にあったとしても、一対の加熱ブロック５・６で挟んだ髪が張出部２２によって不必要に広がるのを解消できることには変りはなく、このような構造であっても、整髪時において張出部２２は有効に機能する。つまり、吸風口１５は、グリップ部を手で握り締めた状態において、吸風口１５の外面が使用者の手で塞がれるのを確実に防止できる点で、第２挟み腕２と対向する下ケース８ｂの下面に吸風口１５が開口していることが好ましいが、これに限定する必要はなく、ファンユニット９の送風効率を上げることができれば、いずれの部位にあってもよい。
【００３７】
第２挟み腕２は、第１挟み腕１と同じ外郭線形状に形成した羽子板状のケース２９と、挟み腕１の加熱ブロック５に対応して第１ケース２９の上面に固定される加熱ブロック６とで構成されている。第１ケース２９は、上面が開口する浅い皿状の下ケース２９ｂと、下ケース２９ｂの開口上面を塞ぐ上ケース２９ａとからなる。上下ケース２９ａ・２９ｂは、それぞれプラスチック成形品である。
【００３８】
上ケース２９ａおよび下ケース２９ｂの処理部側は、第１挟み腕１の下ケース８ｂの下面形状に沿って下面側に膨出している。上ケース２９ａの上面には、ヒーターユニット６をケース外へ露出させるための開口が形成されており、この開口に隣接して張出部２２を受け入れる凹部３０が凹み形成されている（図７参照）。第２挟み腕２側に、張出部２２を受け入れる凹部３０が凹み形成してあると、第１挟み腕１と第２挟み腕２との対向隙間を、凹部３０に嵌り込んだ張出部２２で加熱ブロック５・６側とグリップ側とに区分して、加熱ブロック５・６に挟まれた髪が、吸風口１５の側へずれ動こうとするのを張出部２２で受け止めることができる。従って、髪が吸風口１５に吸込まれるのを確実に防止できるうえ、一対の加熱ブロック５・６で挟んだ髪が不必要に広がるのを解消し、髪処理を効果的に行える。また、髪を挟んだ状態において、第１・第２の両挟み腕１・２が左右方向へずれ動くのを規制できるので、加熱ブロック５・６を常に正対させて髪処理を効果的に行える。
【００３９】
図３において加熱ブロック５・６は、前後に長い角箱状の内ケース３３と、内ケース３３に装填される発熱体３４と、内ケース３３に締結固定されて発熱体３４を内ケース３３と協同して挟持固定する金属板製の外ケース３５と、発熱体３４と外ケース３５との間に配置される絶縁シートとを含み、１個のユニット部品として構成してある。
【００４０】
発熱体３４は、平板ブロック状の前後一対のＰＴＣヒーターからなり、ケース内に設けたホルダーで遊動不能に固定保持してある。外ケース３５はその平坦面で毛髪を挟み、発熱体３４から伝導される熱によって毛髪を加熱する。なお、上下の加熱ブロック５・６は同じ構造であり、各挟み腕１・２に上下に反転した状態で装着して使用される。
【００４１】
図４および図５においてファンユニット９は、軸流式の送風ファン３７と、送風ファン３７を回転駆動するモーター３８と、これらを支持するホルダー３９とを含む。ホルダー３９は、送風ファン３７を収容する風洞部４０と、モーター３８が嵌め込み装填されるホルダー基部４１とを一体に備えており、図４に示すように、ホルダー基部４１の後端を上ケース８ａの内面に設けた爪４２で受け止め、さらに風洞部４０の外面両側に設けたビス座４３（図５参照）を上ケース８ａのボスにビス止めすることにより、上ケース８と一体化される。風洞部４０内で送風ファン３７を駆動すると、空気の流れを風洞部４０で整えて指向性を付与できるので、ファン効率が向上する。また、風洞部４０を有することによって、図７に示すように風洞部４０とファン３７間の隙間を全周に亘って一定に保つことができるので、より一層ファン効率が向上することになる。
【００４２】
イオン発生装置１０は、加熱ブロック５と同様に構成部品の全てを１個のユニット部品としてまとめてある。図４においてイオン発生装置１０は、プラスチック成形品からなる電装ホルダー４５と、それぞれ電装ホルダー４５に組み付けられる回路基板４６、トランス４７、および左右一対の放電体４８などを含む。電装ホルダー４５の左右両側には、放電体４８を組み付けるためのボス４９が一体に設けられている（図６参照）。
【００４３】
図８において回路基板４６には、商用電源（１００Ｖ）を半波整流する整流回路と、半波整流をパルス電圧・電流に変換するパルス発生回路とを構成する電子部品が実装されている。パルス発生回路から出力されたパルス電圧・電流は、トランス４７で例えば４ｋＶに昇圧したのち放電体４８に供給する。図６において放電体４８は、電装ホルダー４５のボス４９の中心に固定される針状の中心電極５１と、ボス４９の外周面に固定される円筒状の周囲電極５２と、ボス４９の内周面に固定される絶縁筒５３とからなる。
【００４４】
中心電極５１と周囲電極５２との間の放電作用によって、両電極５１・５２の周辺の空気中に浮遊する酸素分子や水分子がマイナスイオン化され、空気流とともにイオン吹出口１７から放出される。イオン吹出口１７と、イオン吹出口１７に隣接する吹出口１６とはケース内部で連通しているので、マイナスイオンの一部は吹出口１６からも吹き出される。水分を含むマイナスイオンは、プラスに帯電した髪を中和して髪のぱさつきを防止する。さらに、髪の内部深くまで浸透して水分を補給する。従って、加熱ブロック５・６で加熱される前の髪の水分率を高めて、髪のくせ伸ばしを効果的に行うことができる。加熱ブロック５・６を通過するとき、髪に浸透した水分の一部は蒸散するが、加熱ブロック５・６を通過した髪は、水分を含むマイナスイオンに再び晒されて潤いを取り戻すことができる。
【００４５】
図５においてトランス４７と左右の放電体４８とは、トランス４７から導出した高圧リード線５６と、一端が中心電極５１に接続してある左右の分岐リード線５７とを介して接続する。
【００４６】
詳しくは、高圧リード線５６の出力端と左右の分岐リード線５７の入力端との導線部分を同時に撚り合わせたうえではんだ付けする。そのうえで、図６に示すようにはんだ付けされた結線部分Ｃを電装ホルダー４５に設けた凹部５８内に差し込み、その周囲空間にシリコン接着剤などの絶縁体５９を充満させて結線部分Ｃを絶縁する。
【００４７】
このように、結線部分Ｃを凹部５８内において絶縁して他から遮へいしてあると、結線部分Ｃが遊動するのを規制して断線を阻止できるうえ、導線が剥き出しになるのを防いで、結線部分Ｃと周囲電極５２との間で不必要な放電が生じるのを確実に防止でき、その分だけ放電体４８によるマイナスイオンを効果的に発生させることができる。
【００４８】
上記構造のストレータによれば、加熱ブロック５の左右両側に設けた一対のイオン吹出口１７から、マイナスイオン化された酸素分子や水分子を吹き出すので、加熱ブロック５・６を通過する直前の髪と、通過した後の髪の水分率とを高めることができる。つまり、前処理しない状態のままで髪処理を行う場合であっても、くせ付け直前に髪をしなやかで潤いのある状態にして効果的にくせ付けを行うことができ、くせ付け直後の乾燥した髪に水分を染み込ませて潤いのある状態に戻すことができる。
【００４９】
両加熱ブロック５・６で挟んだ髪部分より上方および下方の髪部分に、同時にマイナスイオンを作用させることができるので、ストレータを右手で持って使用する場合と、左手で持って使用する場合のいずれでも、髪に対して同等にマイナスイオンを作用させることができ、髪処理装置を使用する方向に制約を受けない。
【００５０】
図４に示すように、ユニット部品化されたイオン発生装置１０は、加熱ブロック５と上ケース８ａとの間のスペースに収容されて、加熱ブロック５と小さな隙間を隔てた状態で上ケース８ａに締結固定される。これらの機器５・１０の揺動軸側の端部に隣接してファンユニット９を配置してある。そのため、ファンユニット９から送給された空気流の一部は、先の隙間を通り抜けるように移動した後、左右の吹出口１６からケース外へ吹き出される。つまり、加熱ブロック５から放出される対流熱が隙間に滞留するのを解消し、さらに回路基板４６を強制的に冷却して、回路基板４６に実装された電子部品が過熱するのを阻止できる。吹出口１６やイオン吹出口１７から吹き出される空気流の温度は、加熱ブロック５・６で加熱された髪の温度より低い。従って、加熱ブロック５・６でくせ付けされた髪は、吹出口１６、イオン吹出口１７から吹き出される空気流によって急速に冷却されることとなり、その分だけくせ付け効果を向上できる。
【００５１】
上記の実施例では、髪のくせを伸ばすストレータについて説明したが、本発明の髪処理装置は、真直ぐの髪を縮れ変形処理するワッフルとして構成してあってもよい。その場合には、加熱ブロック５・６の対向面のそれぞれに断面波型の凹凸を形成しておく。
【００５２】
送風ファン３７としては軸流式のファン以外に、遠心式ファンを適用でき、その場合には送風ファン３７を上ケース８ａの内面に隣接させ、モーター３８の下端側を張出部２２に収容する。発熱体３４は、ＰＴＣヒーター、コイルヒーターのような電気式に限らずガス式や鉄の酸化反応を利用した発熱方式のものであってもよい。加熱ブロック５・６は、第１・第２の両挟み腕１・２に設けてあることが好ましいが、少なくともイオン発生装置１０を備えた第１挟み腕１側に設けてあればよい。イオン吹出口１８は左右に長い１個のスロットや、断続する短いスロット、あるいは孔の列で形成してもよい。上記の実施例においては、第１挟み腕２と第２挟み腕３とをばね７で開き勝手に揺動付勢したが、その必要はなく、閉じ勝手に揺動付勢することができる。凹部３０はケース２９を左右に横切る樋状の凹部で形成することができ、実施例で説明したすり鉢状の凹みである必要はない。
【００５３】
また、ケース８の内部を強制冷却することに加えて、第２挟み腕３の内部を強制冷却することができる。その場合には、両ケース８・２９を両者の連結部分で通気可能に連通し、ケース２９の揺動先端に吸風口１５を開口して、送風ファン９によって吸気される吸入空気を、ケース２９先端の吸風口１５からケース２９内を通過させ、両ケース８・２９の連結部分を経由してケース８内に流入させるようにする。その後、吸入空気は送風ファン９によって、イオンとともに吹出口１６やイオン吹出口１７から吹き出る。このような循環路を形成することによって、両ケース８・２９内に滞留する熱を強制的に排出することができる。放電体４８は１個または３個以上設けることができる。イオン発生装置１０は、実施例で説明したようにユニット部品化してあることが好ましいが、必ずしもその必要はなく、ケース８の構造に応じて、ケース内部に直接組むことができる。
【図面の簡単な説明】
【図１】
髪処理装置の側面図
【図２】
第１挟み腕の底面図
【図３】
第１挟み腕の分解底面図
【図４】
髪処理装置の縦断側面図
【図５】
髪処理装置の内部平面図
【図６】
図４におけるＡ−Ａ線断面図
【図７】
図４におけるＢ−Ｂ線断面図
【図８】
髪処理装置の電気回路の概略を示すブロック図
【符号の説明】
１  第１挟み腕
２  第２挟み腕
４  揺動軸
５  第１挟み腕側の加熱ブロック
６  第２挟み腕側の加熱ブロック
８  ケース
９  ファンユニット
１０  イオン発生装置
１６  加圧空気の吹出口
１７  イオン吹出口
２２  張出部
３０  凹部
３７  送風ファン
３８  モーター
４５  電装ホルダー
４６  回路基板
４７  トランス
４８  放電体